(57)【要約】      （修正有）【課題】見栄えの向上を図ることが可能な警報器を提供する。【解決手段】ガス警報器は、周囲環境に応じた信号を出力するセンサ部と、センサ部からの信号に基づいて異常状態が検出された場合に、警報出力して異常状態を報知する警報部とを備え、センサ部と警報部とが筐体内に収納されたものであって、背面側の下ケース２ｂに設けられた商用電源からの電力供給を受けるための電源コード１２と、下ケース２ｂから後方に突出して電源コード１２が巻き付けられると共に、巻き付けられた電源コード１２の後方移動を取付壁面によって規制させる巻付部１６とを備える。【選択図】図２
2018036832.tif 000002
【特許請求の範囲】
【請求項１】
周囲環境に応じた信号を出力するセンサ部と、前記センサ部からの信号に基づいて異常状態が検出された場合に、警報出力して異常状態を報知する警報部と、を備え、前記センサ部と前記警報部とが筐体内に収納された警報器であって、
背面側に設けられて商用電源からの電力供給を受けるための電源コードと、
前記筐体の背面から後方に突出して前記電源コードが巻き付けられると共に、巻き付けられた電源コードの後方移動を取付壁面によって規制させる巻付部と、
を備えることを特徴とする警報器。
【請求項２】
前記筐体の上部側に前記巻付部と同程度後方に突出して壁面に取り付けるための取付部をさらに備える
ことを特徴とする請求項１に記載の警報器。
【発明の詳細な説明】
【技術分野】
【０００１】
本発明は、警報器に関する。
【背景技術】
【０００２】
従来、壁面に取り付けられるガス警報器が提案されている。このようなガス警報器には、電池式のものと、商用電源式のものとがあり、後者のものについては、警報器の背面側に電源コードが設けられている。電源コードは、コンセントを通じて電力供給を受けるための電力線である。
【０００３】
また、各家庭等においてはコンセントから警報器設置箇所までの距離が一定でないことから、ガス警報器の電源コードはやや長めにされている。このため、従来のガス警報器では、各家庭等に取り付けた場合において電源コードに余剰長さ分が発生することがある。そこで、警報器の背面側に電源コードを巻き付ける巻付部と、巻付部に巻き付けられた電源コードを警報器筐体の背面と共に挟み込んで押さえるコード抑え板とからなるコードリールを備えたガス警報器が提案されている（特許文献１〜４参照）。
【０００４】
このようなガス警報器において、コードリールのコード抑え板又は警報器筐体の背面には切り欠きや鉤型のコード固定部が設けられている。ガス警報器を壁面に取り付ける場合、コンセントまでの距離に応じた長さだけ電源コードが巻付部より解かれる。この際、巻付部より解かれなかった電源コードがバラけないように電源コードがコード固定部に固定される。
【先行技術文献】
【特許文献】
【０００５】
【特許文献１】実開平１−９６０９５号公報
【特許文献２】特開２０１０−３３３３０号公報
【特許文献３】特開平８−１９０６８３号公報
【特許文献４】特開平７−３３４７６８号公報
【発明の概要】
【発明が解決しようとする課題】
【０００６】
しかし、特許文献１〜４に記載のガス警報器は、背面側に巻付部とコード抑え板とからなるコードリールが設けられている関係上、警報器筐体の背面と壁面との間に所定量の隙間が発生することとなり、外観上警報器が壁面から浮いたように見え、見栄えが低下してしまう可能性があった。
【０００７】
なお、この問題はガス警報器に限らず、火災警報器やガス火災一体型警報器であっても共通するものであり、また、人の侵入を検知して警報する人感警報器等の他の警報器においても共通するものである。
【０００８】
本発明はこのような従来の課題を解決するためになされたものであり、その発明の目的とするところは、見栄えの向上を図ることが可能な警報器を提供することにある。
【課題を解決するための手段】
【０００９】
本発明の警報器は、周囲環境に応じた信号を出力するセンサ部と、前記センサ部からの信号に基づいて異常状態が検出された場合に、警報出力して異常状態を報知する警報部と、を備え、前記センサ部と前記警報部とが筐体内に収納された警報器であって、背面側に設けられて商用電源からの電力供給を受けるための電源コードと、前記筐体の背面から後方に突出して前記電源コードが巻き付けられると共に、巻き付けられた電源コードの後方移動を取付壁面によって規制させる巻付部と、を備えることを特徴とする。
【００１０】
この警報器によれば、筐体の背面から後方に突出して電源コードが巻き付けられる巻付部を備え、この巻付部は、巻き付けられた電源コードの後方移動を取付壁面によって規制させる構成であるため、コード抑え板が不要となり、コード抑え板の厚み分だけ警報器を取付壁面に近づけることができ、見栄えの向上を図ることが可能な警報器を提供することができる。
【００１１】
また、本発明の警報器において、前記筐体の上部側に前記巻付部と同程度後方に突出して壁面に取り付けるための取付部をさらに備えることが好ましい。
【００１２】
この警報器によれば、筐体の上部側に巻付部と同程度後方に突出して壁面に取り付けるための取付部を備えるため、コード抑え板に設けていた取付部と同様に警報器を取付壁面に取り付けることができる。しかも、取付部は巻付部と同程度後方に突出しているため、取付部の突出量が小さくて壁面に取付難くなったり、取付部の突出量が大きくて警報器が取付壁面から浮き上がったりしてしまう事態を防止することができる。
【発明の効果】
【００１３】
本発明によれば、見栄えの向上を図ることが可能な警報器を提供することができる。
【図面の簡単な説明】
【００１４】
【図１】本発明の実施形態に係るガス警報器を示す正面図である。
【図２】図１に示したガス警報器を示す背面図である。
【図３】図１に示したガス警報器の一部構成を除く側面図である。
【図４】図１に示したガス警報器の一部構成を除く背面図である。
【発明を実施するための形態】
【００１５】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１６】
さらに、以下においては警報器の一例としてガス警報器を示すが、本発明は特にガス警報器に限らず、火災警報器など他の種類の警報器であってもよい。さらには、ＣＯ警報器や火災警報器など、２以上の警報器の機能を組み合わせたタイプのものであってもよい。加えて、警報器は、他の警報器と連動して動作する機能を有するものであってもよい。
【００１７】
図１は、本発明の実施形態に係るガス警報器を示す正面図である。図１に示すガス警報器１は、商用電源からの電力により駆動し、ガス漏れ等の異常状態を検出した場合に異常状態が発生している旨の警報を出力する警報器であって、壁面に対して取り付けられる定置式の警報器である。なお、本実施形態において電池式ガス警報器はガス漏れの他、ＣＯによる異常状態の検知機能を有していてもよい。
【００１８】
本実施形態に係るガス警報器１は、ガスセンサ（センサ部）、ＣＰＵ、スピーカ等の音声出力部（警報部）、及びＬＥＤ等の発光部（警報部）を備えるものであり、これらが樹脂ケースである筐体２に覆われた構造となっている。筐体２は、前面側の上ケース２ａと背面側の下ケース２ｂ（図２〜図４参照）とからなり、これらの内部に各種機能部を備えた配線板が収納されている。このような筐体２には、前面側に、ガスセンサを内部に備えた検出部４と、警報出力用の音声出力部を内部に備えた報知部６と、発光部を内部の備えた状態表示部８と、警報時において警報を停止させる停止スイッチ１０とが設けられている。
【００１９】
なお、停止スイッチ１０は、非警報時においては点検スイッチとして機能する。すなわち、警報が行われていないときに停止スイッチ１０が操作されると、ガス警報器１の点検動作が行われることとなる。また、ガス警報器１が他のガス警報器１と連動している場合、他のガス警報器１において停止スイッチ１０が操作されることにより、連動点検動作が行われるようになっていてもよい。
【００２０】
検出部４内のガスセンサは、周囲に検出対象となるガスが存在する場合にその濃度に応じた信号（周囲環境に応じた信号の一例）を出力するものである。また、ガスセンサには、上記のセンサのほか、周囲の一酸化炭素濃度に応じた信号（周囲環境に応じた信号の一例）を出力するセンサ等も併設されている。
【００２１】
ＣＰＵは、ガス警報器１の全体を制御するものである。報知部６内の音声出力部は、スピーカやブザーにより構成され、ガス漏れや一酸化炭素の高濃度異常が発生していると判断された場合に、警報出力して異常の発生を報知するものである。状態表示部８内の発光部は、ガス警報器１の状態を報知するためのものであって、本実施形態においてはガス警報器１の動作電力が供給されているときに発光する電源発光部、一酸化炭素の高濃度異常が発生していると判断された場合に発光や点滅するＣＯ発光部、及びガス漏れが発生していると判断された場合に発光や点滅するガス発光部からなる。発光部は、半導体発光素子によって構成されている。
【００２２】
図２は、図１に示したガス警報器１の背面図である。また、図３は、図１に示したガス警報器１の一部構成を除く側面図であり、図４は、図１に示したガス警報器１の一部構成を除く背面図である。
【００２３】
図２に示すように、ガス警報器１は、背面側に電源コード１２を備えている。電源コード１２は、商用電源からの電力供給を受けるための電力線である。さらに、ガス警報器１は、図２〜図４に示すように、背面側に、コード引出部１４と、巻付部１６と、コード固定部１８とを備えている。
【００２４】
コード引出部１４は、ガス警報器１の筐体２の背面（背面視して右上となる位置）に設けられ、ガス警報器１の内部から外部（背面側）に電源コード１２を引き出すための開口部である。なお、筐体２の背面には電源コード１２を這わせるために下ケース２ｂからやや窪んだコード通路２ｃが形成されている。
【００２５】
巻付部１６は、筐体２の背面（すなわち下ケース２ｂ）から後方に突出した突出部であって、本実施形態においては背面中央部においてやや縦長となる長円形状となるように形成されている。電源コード１２は、ガス警報器１を各家庭等に取り付けた場合において余剰長さが発生することがある。巻付部１６は、このような余剰長さ分の電源コード１２を巻付け可能となっている。
【００２６】
コード固定部１８は、巻付部１６に巻き付けた電源コード１２がバラけないようにするために電源コード１２を引っ掛ける部位であり、本実施形態においては背面視して中央下側となる位置で鉤型に形成されている。コード固定部１８の鉤型部分１８ａと筐体２の背面との隙間Ｃの高さは電源コード１２の厚みよりも僅かに小さくされている。このため、隙間Ｃに電源コード１２を圧入することにより電源コード１２をコード固定部１８に固定することができる。また、コード固定部１８は、巻付部１６の後方突出量よりも、その突出量が小さくなっており、取付壁面に対して干渉し難くなっている。
【００２７】
さらに詳細に説明すると、巻付部１６は、天板１６ａと、第１及び第２開口１６ｂ，１６ｃと、ロック部１６ｄとを備えている。天板１６ａは、筐体２の背面と平行な板材である。第１開口１６ｂは、コード引出部１４より背面に引き出されて天板１６ａの下方（天板１６ａよりもガス警報器１の前方側）に潜り込んだ電源コード１２を天板１６ａ上に引き出すための部位である。第２開口１６ｃは、第１開口１６ｂを通じて天板１６ａ上に引き出された電源コード１２を再度天板１６ａの下方に潜り込ませるための部位である。電源コード１２は、これらの第１及び第２開口１６ｂ，１６ｃに挿通されることにより屈曲することとなり、屈曲構造によって巻付部１６にも固定される。よって、第１及び第２開口１６ｂ，１６ｃは、巻付部１６における電源コード１２の固定部を構成することとなる。
【００２８】
なお、本実施形態において巻付部１６は、筐体２側と別体となっており、ロック部１６ｄを介して筐体２に固定される構造となっている。なお、巻付部１６は、別体に限らず筐体２（下ケース２ｂ）と一体になっていてもよい。
【００２９】
加えて、図２に示す例において電源コード１２は、第１及び第２開口１６ｂ，１６ｃを通じて巻付部１６に固定されているが、これに限らず、第１及び第２開口１６ｂ，１６ｃに挿通されることなく、コード引出部１４から直接長円形の巻付部１６の側面に巻き付けられてもよい。
【００３０】
また、ガス警報器１は、筐体２の上部側にガス警報器１を壁面に取り付けるための取付部２０を備えている。取付部２０は、正面視して外形が略台形状となる板材２０ａを備えている。略台形状の板材２０ａには、開口２０ｂが形成されている。開口２０ｂは、下側の幅広部２０ｃと、上側の幅狭部２０ｄとからなり、幅広部２０ｃと幅狭部２０ｄとが連結された構造となっている。壁面にはフック状の金具が取り付けられる。ガス警報器１は、壁面取付時に、金具が幅広部２０ｃに挿入されて自由落下により幅狭部２０ｄに移動し、左右方向へのブレが防止された状態で壁面に取り付けられる。
【００３１】
さらに、取付部２０は、図３に示すように、後方への突出量が巻付部１６と同程度となっている。これにより、後方へ突出する巻付部１６が邪魔となって壁面へ取り付け難くなってしまう事態を防止している。
【００３２】
次に、本実施形態に係るガス警報器１の壁面取付方法を説明する。まず、本実施形態に係るガス警報器１は、電源コード１２が巻付部１６に固定され且つ巻き付けられた状態で出荷される。出荷時において電源コード１２の端部側（コンセント側の端部側）は、コード固定部１８に固定されてバラけないようにされていてもよいし、電源コード１２自体が別部材により固定されてバラけないようにされていてもよい。
【００３３】
作業者は、ガス警報器１の取付時において、壁面に対してフック状の金具を取り付ける。次いで、作業者は、電源コード１２を巻付部１６から所定量だけ解く。この際、作業者は、取付箇所からコンセントまで距離に応じた長さ分だけ電源コード１２を解く。次に、作業者は、電源コード１２をコード固定部１８に固定した後に、取付部２０を金具に引っ掛けることで、ガス警報器１を壁面に取り付ける。
【００３４】
この場合において、巻付部１６に巻き付けられた電源コード１２は巻付部１６から脱落してしまうことが懸念されるが、巻付部１６の後方には壁面が存在することから、電源コード１２の後方移動による脱落が壁面によって規制される。さらに、巻付部１６の後方突出量によっては、電源コード１２が筐体２の背面と壁面とによって挟持されることとなり、より一層電源コード１２の巻付部１６の固定が実現される。
【００３５】
このようにして、本実施形態に係るガス警報器１によれば、筐体２の背面から後方に突出して電源コード１２が巻き付けられる巻付部１６を備え、この巻付部１６は、巻き付けられた電源コード１２の後方移動を取付壁面によって規制させる構成であるため、コード抑え板が不要となり、コード抑え板の厚み分だけガス警報器１を取付壁面に近づけることができ、見栄えの向上を図ることが可能なガス警報器１を提供することができる。
【００３６】
また、筐体２の上部側に巻付部１６と同程度後方に突出して壁面に取り付けるための取付部２０を備えるため、コード抑え板に設けていた取付部と同様にガス警報器１を取付壁面に取り付けることができる。しかも、取付部２０は巻付部１６と同程度後方に突出しているため、取付部２０の突出量が小さくて壁面に取付難くなったり、取付部２０の突出量が大きくてガス警報器１が取付壁面から浮き上がったりしてしまう事態を防止することができる。
【００３７】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００３８】
例えば、上記実施形態においてはガス警報器を例に説明したが、本発明はガス警報器に限らず、例えば火災警報器など他の種類の警報器であってもよいし、ＣＯ警報器や火災警報器など、２以上の警報器の機能を組み合わせたタイプのものであってもよい。加えて、警報器は、他の警報器と連動して動作する機能を有するものであってもよい。
【符号の説明】
【００３９】
１        ：ガス警報器
２        ：筐体
２ａ      ：上ケース
２ｂ      ：下ケース
２ｃ      ：コード通路
４        ：検出部
６        ：報知部
８        ：状態表示部
１０      ：停止スイッチ
１２      ：電源コード
１４      ：コード引出部
１６      ：巻付部
１６ａ    ：天板
１６ｂ    ：第１開口
１６ｃ    ：第２開口
１６ｄ    ：ロック部
１８      ：コード固定部
１８ａ    ：鉤型部分
２０      ：取付部
２０ａ    ：板材
２０ｂ    ：開口
２０ｃ    ：幅広部
２０ｄ    ：幅狭部
Ｃ        ：隙間
【図１】
2018036832.tif 000003
【図２】
2018036832.tif 000004
【図３】
2018036832.tif 000005
【図４】
2018036832.tif 000006